【手続補正書】
【提出日】平成24年6月11日(2012.6.11)
【手続補正１】
【補正対象書類名】特許請求の範囲
【補正対象項目名】全文
【補正方法】変更
【補正の内容】
【特許請求の範囲】
【請求項１】
高圧流体が導入される弁室（５）を形成するとともに弁孔（６）を中央部に開口させて前記弁室（５）に臨む弁座（７）ならびに前記弁孔（６）と同軸のガイド孔（８）が設けられる弁ハウジング（９）と、該弁ハウジング（９）に固定されるダイヤフラムカバー（１１）と、該ダイヤフラムカバー（１１）および前記弁ハウジング（９）間に周縁部が挟持されるダイヤフラム（１０）と、前記弁座（７）に着座することを可能として前記ガイド孔（８）に摺動可能に嵌合されるとともに前記ダイヤフラム（１０）の中央部に連結される弁体（１２）と、該弁体（１２）を前記弁座（７）から離座させる側に前記ダイヤフラム（１０）を付勢するようにして前記ダイヤフラムカバー（１１）および前記ダイヤフラム（１０）間に設けられるダイヤフラムばね（１３）と、前記ガイド孔（８）の軸線に沿う方向での進退位置を調節可能として前記弁体（１２）に関して前記弁室（５）とは反対側に配置される調節部材（１４）と、前記ダイヤフラムばね（１３）からのばね荷重作用方向とは反対側から前記弁体（１２）にばね荷重を作用せしめることを可能として前記調節部材（１４）および前記弁体（１２）間に設けられる背面コイルばね（１５）とを備える減圧弁において、前記ガイド孔（８）に同軸に連なる収容孔（３７）が、前記弁体（１２）と反対側を開口するようにして前記弁ハウジング（９）に設けられ、前記調節部材（１４）が軸線方向での移動を可能とするものの回転作動することを不能として前記収容孔（３７）に挿入され、前記収容孔（３７）の軸線に沿う方向を一定として該収容孔（３７）の開口端に回転可能に嵌合される操作部材（３８）が、前記調節部材（１４）の中央部に螺合されることを特徴とする減圧弁。
【請求項２】
前記弁座（７）が一端側に形成されるとともに他端側を開放したガイド部材収容孔（１８）を有するボディ（１６）と、前記ガイド孔（８）および前記収容孔（３７）を有するとともに前記ボディ（１６）との間に前記弁室（５）を形成して前記ガイド部材収容孔（１８）の他端側に一端部が気密に嵌合されるガイド部材（１７）とで前記弁ハウジング（９）が構成され、前記ガイド部材（１７）の他端側を前記ボディ（１６）との間に挟持して前記ガイド部材（１７）を前記ボディ（１６）に固定するカバー部材（４２）が前記ボディ（１６）に取付けられ、前記操作部材（３８）が、前記カバー部材（４２）に設けられた調節孔（４５）からの回転操作を可能として該カバー部材（４２）で覆われることを特徴とする請求項１記載の減圧弁。
【請求項３】
前記ガイド部材（１７）が合成樹脂により形成されることを特徴とする請求項２記載の減圧弁。
【請求項４】
前記ボディ（１６）に、前記弁室（５）に高圧のＬＰＧ燃料を導入する高圧通路（２５）と、前記弁座（７）よりも下流側の低圧通路（３１）とが形成され、前記カバー部材（４２）に臨む側で前記ボディ（１６）には、前記高圧通路（２５）および前記低圧通路（３１）を流通するＬＰＧ燃料を加熱するための加熱流体を流通せしめる加熱流体通路（４６）を前記カバー部材（４２）との間に形成する凹部（４７）が設けられることを特徴とする請求項２または３記載の減圧弁。
【手続補正２】
【補正対象書類名】明細書
【補正対象項目名】０００１
【補正方法】変更
【補正の内容】
【０００１】
本発明は、高圧流体が導入される弁室を形成するとともに弁孔を中央部に開口させて前記弁室に臨む弁座ならびに前記弁孔と同軸のガイド孔が設けられる弁ハウジングと、該弁ハウジングに固定されるダイヤフラムカバーと、該ダイヤフラムカバーおよび前記弁ハウジング間に周縁部が挟持されるダイヤフラムと、前記弁座に着座することを可能として前記ガイド孔に摺動可能に嵌合されるとともに前記ダイヤフラムの中央部に連結される弁体と、該弁体を前記弁座から離座させる側に前記ダイヤフラムを付勢するようにして前記ダイヤフラムカバーおよび前記ダイヤフラム間に設けられるダイヤフラムばねと、前記ガイド孔の軸線に沿う方向での進退位置を調節可能として前記弁体に関して前記弁室とは反対側に配置される調節部材と、前記ダイヤフラムばねからのばね荷重作用方向とは反対側から前記弁体にばね荷重を作用せしめることを可能として前記調節部材および前記弁体間に設けられる背面コイルばねとを備える減圧弁に関する。
【手続補正３】
【補正対象書類名】明細書
【補正対象項目名】０００６
【補正方法】変更
【補正の内容】
【０００６】
上記目的を達成するために、本発明は、高圧流体が導入される弁室を形成するとともに弁孔を中央部に開口させて前記弁室に臨む弁座ならびに前記弁孔と同軸のガイド孔が設けられる弁ハウジングと、該弁ハウジングに固定されるダイヤフラムカバーと、該ダイヤフラムカバーおよび前記弁ハウジング間に周縁部が挟持されるダイヤフラムと、前記弁座に着座することを可能として前記ガイド孔に摺動可能に嵌合されるとともに前記ダイヤフラムの中央部に連結される弁体と、該弁体を前記弁座から離座させる側に前記ダイヤフラムを付勢するようにして前記ダイヤフラムカバーおよび前記ダイヤフラム間に設けられるダイヤフラムばねと、前記ガイド孔の軸線に沿う方向での進退位置を調節可能として前記弁体に関して前記弁室とは反対側に配置される調節部材と、前記ダイヤフラムばねからのばね荷重作用方向とは反対側から前記弁体にばね荷重を作用せしめることを可能として前記調節部材および前記弁体間に設けられる背面コイルばねとを備える減圧弁において、前記ガイド孔に同軸に連なる収容孔が、前記弁体と反対側を開口するようにして前記弁ハウジングに設けられ、前記調節部材が軸線方向での移動を可能とするものの回転作動することを不能として前記収容孔に挿入され、前記収容孔の軸線に沿う方向を一定として該収容孔の開口端に回転可能に嵌合される操作部材が、前記調節部材の中央部に螺合されることを第１の特徴とする。
【手続補正４】
【補正対象書類名】明細書
【補正対象項目名】００１６
【補正方法】変更
【補正の内容】
【００１６】
以下、本発明の実施の形態について添付の図１および図２を参照しながら説明すると、先ず図１において、この減圧弁は、ＬＰＧ燃料を減圧してエンジン（図示せず）に供給するためのものであり、高圧のＬＰＧ燃料が導入される弁室５を形成するとともに弁孔６を中央部に開口させて前記弁室５に臨む弁座７ならびに前記弁孔６と同軸のガイド孔８が設けられる弁ハウジング９と、該弁ハウジング９に固定されるダイヤフラムカバー１１と、該ダイヤフラムカバー１１および前記弁ハウジング９間に周縁部が挟持されるダイヤフラム１０と、前記弁座７に着座することを可能として前記ガイド孔８に摺動可能に嵌合されるとともに前記ダイヤフラム１０の中央部に連結される弁体１２と、該弁体１２を前記弁座７から離座させる側に前記ダイヤフラム１０を付勢するようにして前記ダイヤフラムカバー１１および前記ダイヤフラム１０間に設けられるダイヤフラムばね１３と、前記ガイド孔８の軸線に沿う方向での進退位置を調節可能として前記弁体１２に関して前記弁室５とは反対側に配置される調節部材としてのナット１４と、前記ダイヤフラムばね１３からのばね荷重作用方向とは反対側から前記弁体１２にばね荷重を作用せしめることを可能として前記ナット１４および前記弁体１２間に設けられる背面コイルばね１５とを備える。